(57)【要約】      （修正有）【課題】  利用者に、新品のウエディングドレスを確実にレンタルでき、しかも、利用料金が少なくなるウエディングドレスのレンタルシステムを提供する。【解決手段】  ウエディングドレスを企画、デザイン、製造してレンタル本部となり、これに加入した貸衣装業者としてのレンタルショップが顧客の入会窓口として配属される組織を構成し、レンタルショップに対しては、多数のウエディングドレスを新品で貸与してレンタル業務を開始させ、入会した顧客にウエディングドレスをレンタルして収入されるレンタル料のうちの一部を、当該ウエディングドレスの返却と同時に納付したことを確認して、新品である同種または同等のウエディングドレスを当該レンタルショップに無償で貸与することにより、新品で再度のレンタルに備えさせ、レンタル料の残部を収入させる。【選択図】    図２
2006119812.tif 000002
【特許請求の範囲】
【請求項１】
ウエディングドレスを企画、デザイン、製造してレンタル本部となり、これに加入した貸衣装業者としてのレンタルショップが顧客の入会窓口として配属される組織を構成し、レンタルショップに対しては、多数のウエディングドレスを新品で貸与してレンタル業務を開始させ、入会した顧客にウエディングドレスをレンタルして収入されるレンタル料のうちの一部を、当該ウエディングドレスの返却と同時に納付したことを確認して、新品である同種または同等のウエディングドレスを当該レンタルショップに無償で貸与することにより、新品で再度のレンタルに備えさせ、レンタル料の残部を収入させることを特徴とするウエディングドレスのレンタルシステム。
【請求項２】
顧客にウエディングドレスをレンタルする前において、多数のウエディングドレス群から選択されたてその衣装予約があると、挙式への出荷準備までに保管庫に仕舞うこととなし、
１．保管庫をレンタルショップで預かるときは、ウエディングドレスの貸し出し証とともに、保管庫の鍵を顧客に渡し
２．保管庫を顧客で預かるときは、鍵を預かり鍵の預り証を顧客に渡す
のうちのいずれかにおいて出荷準備まで待機することを特徴とする請求項１記載のウエディングドレスのレンタルシステム。
【発明の詳細な説明】
【技術分野】
【０００１】
この発明は、結婚式に着用するウエディングドレスのレンタルシステムに関する。
【背景技術】
【０００２】
結婚式は、新郎新婦が両方の契りを親戚、縁者、知り合い等に披露する一生一度の晴れの舞台であるので、ここにおいて特に、新婦としては自分を普段着から離れて極限にまで美しく着飾る夢の実現ととらえて、望み得る限りの派手やかな衣装が選ばれる。しかし、それが著しく高価であるとともに一度の使用が前提であるために、経済的観点からやむを得ず貸衣装業者や結婚式場等からレンタルして当日に着用することが習わしとなっている。
【０００３】
新婦の衣装には和式と洋式とがあるが、思いっきり着飾ることを夢に見ていたのが洋式であり、また清潔なイメージから、現在ではウエディングドレスが選ばれることが比較的多く、それも新品、新作、高級であることが気持ちの上で望まれるために、業者からは意に反するそういうふれこみでレンタルされることもある。新品であることは、レンタル形式をとる以上は希望が叶えられる確率が極めて低いことが内心分かっていても、ドレスに前に付いた染みが残っていたりする現実に直面すると、夢も冷め披露宴の舞台で気落ちする嫌な思い出となる。
【０００４】
例えば、一着のウエディングドレスを選択する場合、多数のウエディングドレス群から顧客の希望するウエディングドレスを選ぶ為、新品のウエディングドレス一着に対し多数の顧客が試着を行い、新品のウエディングドレスは貸し出す以前にすでに汚れが多数発生している。自動車に例をとると、試乗車を新車として受注し、試乗車に匹敵するウエディングドレスを新車に匹敵するウエディングドレスとして販売しているのが、日本国中の衣装店の現状である。
【０００５】
従来、挙式が終わって貸衣装業者に返却されたウエディングドレスは、洗濯して汚れがあれば染み抜きする等して手入れを施してから再度の使用に備えられるが、それでも見落とされて汚れや傷みが未発見に残ることがある。
【０００６】
また、貸衣装業者は、他店との競争から新作、高級なものも店に揃えておく必要があり、それも非常に品数が多いことから、新品、新作、高級なウエディングドレスの仕入れに多額の資本を投入しこれが大きな経済的な負担となっており、これがレンタル料金にコスト高として影響するおおきな原因となっていた。
【発明の開示】
【発明が解決しようとする課題】
【０００７】
この発明は、上記のような実情に鑑みて、加入した貸衣装業者及びブライダル関連業者又は独立開業対象者（以下、「貸衣装業者」で代表する）としてのレンタルショップには、新品・新作・高級なウエディングドレスを揃えるための資本投入が少なくなり、その貸衣装業者を利用する一般利用者には、人生の門出を祝うに相応しい染やキズの全くない初々しい新品のウエディングドレスを確実にレンタルでき、しかも、利用料金が少なくなるウエディングドレスのレンタルシステムを提供することを課題とした。
【課題を解決するための手段】
【０００８】
上記の課題を解決するために、この発明は、ウエディングドレスを企画、デザイン、製造してレンタル本部となり、これに加入した貸衣装業者としてのレンタルショップが顧客の入会窓口として配属される組織を構成し、レンタルショップに対しては、多数のウエディングドレスを新品で貸与してレンタル業務を開始させ、入会した顧客にウエディングドレスをレンタルして収入されるレンタル料のうちの一部を、当該ウエディングドレスの返却と同時に納付したことを確認して、新品である同種または同等のウエディングドレスを当該レンタルショップに無償で貸与することにより、新品で再度のレンタルに備えさせ、レンタル料の残部を収入させることを特徴とするウエディングドレスのレンタルシステムを構成した
【０００９】
加えて、顧客にウエディングドレスをレンタルする前において、多数のウエディングドレス群から選択されたてその衣装予約があると、挙式への出荷準備までに保管庫に仕舞うこととなし、
１．保管庫をレンタルショップで預かるときは、ウエディングドレスの貸し出し証とともに、保管庫の鍵を顧客に渡し
２．保管庫を顧客で預かるときは、鍵を預かり鍵の預り証を顧客に渡す
のうちのいずれかにおいて出荷準備まで待機することとすれば、新品としての信頼性をさらに確実に確保できる。
【発明の効果】
【００１０】
以上説明したように、この発明によれば、主体となるレンタル本部がウエディングドレスの企画、デザイン、製造に携わっていることに加え、配下にレンタルショップを従属させて多大の需要が望めることから、新品・新作・高級なウエディングドレスのレンタルについて、安価な料金設定が可能となり、顧客から収入される料金が良心的な金額となるとともに、それからの一部をレンタル本部の収入とし、残りをレンタルショップの収入としても、双方とも営業が成立することになり、このようなことから、顧客に対して人生の門出を祝うに相応しい染やキズの全くない初々しい新品のウエディングドレスを確実に且つ安価にレンタルできるという優れた効果がある。
【発明を実施するための最良の形態】
【００１１】
次に、この発明の実施の態様を図面に基づいて説明する。
【００１２】
図１は、この発明を実施する主体となるレンタル本部１が立ち上げられ、その配下にレンタルショップ２，２，・・が入会により配属され、さらに、その配下に顧客３，３，・・が入会した時点の状態を示したもので、図２がこの状態から実質的な営業が開始され、その営業の順序を説明したものである。
【００１３】
図１において、レンタル本部１は、新品のウエディングドレスを企画しデザインし、製作する企業であるが、その配下にレンタルショップ２を介して確実な見込み客としての多数の顧客３，３，・・が確保されているためウエディングドレスの安定した量産が可能であること、その組織により、顧客の獲得とともに、企画に必要な情報の収集、サービス、運搬、集金等を組織的且つ効率的になし得ること、等から新品・新作・高級のウエディングドレスを安価に製作して安価に提供できる体制となる。したがって、レンタルショップ２に対してウエディングドレス（ＷＤ）を無償で貸与することができる。
【００１４】
レンタルショップ２は、入会（又は代理店契約等）することにより、このようにして無償で貸与された多種類のウエディングドレスを品揃えすることにより営業を開始することができるので、開業資金が少なくて済み、少ない資本で容易に開業できるメリットがある。また、インターネット等による組織的な情報網の確立や、情報誌の配付等から、実際に品揃えをすることは必ずしも要しないことから、小さな店舗で済ますこともでき、また、出張してパソコンの画面で商談をすることも可能となる。そうすれば、特に店舗も要しないこととなる。なお、入会又は代理店契約等をするには、入会金または契約金を徴収することになってもそれは普通に品揃えする費用よりも極少ない金額とする。
【００１５】
顧客３は、レンタル本部１に対して入会したもので、この手続きはレンタルショップ２に対して行う。また、レンタルショップ２は、将来結婚することになる女性又は男性を対象として顧客の獲得に努めることになる。ここで勧誘のポイントは新品・新作・高級なウエディングドレスを極めて安価にレンタルして着用できることであり、また、レンタル本部１からの最新情報の提供である。そして、このメリットは入会することにより始めて得られることになる。次に、図２について説明する。
【００１６】
（１）顧客３が入会すると、（２）各種メリット、例えば上記のように最新情報や、新品・新作・高級の着用の地位が得られるが、相手が決まって挙式をすることになると、（３）レンタルショップ２へ出向くか若しくは出張してもらうことにより、（４）ウエディングドレスのコレクションから選択する。しかし、いずれにしても最終的決定は、新品・新作・高級について実物の確認がなされ、（５）これで衣装予約がなされることになる。
【００１７】
選択した衣装予約が確実に実行される保証を与える手段として顧客３に対して、（６）二種類のカードのうちのいずれかが顧客３に渡される。そのうちの一のカードは、図３に示す如くウエディングドレスの貸し出し証５であって、この場合は、レンタルショップ２で挙式当日までウエディングドレスを保管するので、保管庫の鍵を顧客３に預ける。他のカードは、図４に示すように鍵（エンジェルキー）の預り証７であって、この場合は、顧客３が自宅で挙式当日までウエディングドレスを保管するが、保管庫の鍵はレンタルショップ２で預かることになる。いずれの場合も、ウエディングドレスの保管庫と鍵とを別々に所持することになるので、保管庫が無断で開けられることはなく、衣装予約から挙式まで長期であっても、新品の状態が安全に保持されることになる。
【００１８】
しかし、挙式が近づくと準備が必要であり短期間に転用（悪用）されるおそれもないので、保管庫を開けてレンタルショップ２で実物の確認のために写真に撮り（（７）前撮り）、（８）一週間前程度にレンタルショップ２で出荷準備がなされる。そして、（９）挙式当日において式場に持ち込まれて新婦が新品・新作・高級のウエディングドレスを着用することができる。
【００１９】
挙式が終わった後は、レンタルショップ２において、（１０）ウエディングドレスを洗濯したりアイロンがけをする等の手入れをしてから、（１１）レンタル料の納付とともにレンタル本部１に返還する。レンタル本部１では、（１２）このウエディングドレスの返却とレンタル料金納入の確認をすると、レンタルショップ２に対して、（１３）新品のウエディングドレスを無償で提供（貸与）し、新たなレンタルに備えさせる。
【図面の簡単な説明】
【００２０】
【図１】この発明によるウエディングドレスのレンタルシステムの組織の一例を示す図である。
【図２】同組織における実施態様の流れを示す図である。
【図３】同実施の形態において発行する貸し出し証を示す図である。
【図４】同実施の形態において発行する預り証を示す図である。
【符号の説明】
【００２１】
１  レンタル本部
２  レンタルショップ
３  顧客
５  貸し出し証
７  預り証
【図１】
2006119812.tif 000003
【図２】
2006119812.tif 000004
【図３】
2006119812.tif 000005
【図４】
2006119812.tif 000006